(57)【特許請求の範囲】
【請求項１】
推進装置を備える電動車の車室内を暖房する電動車用暖房装置であって、
前記電動車の車室内に温度調整した空気を送風可能な空調装置と、
前記推進装置を冷却する冷媒が流通する回路に連結して設けられ、前記電動車の車室の床下に配置される床暖房装置と、
前記床暖房装置の冷媒回路へ前記推進装置の冷媒回路内の前記冷媒を供給する冷媒供給手段と、
前記電動車の車室内の温度を計測する車室内温度計測手段と、
前記推進装置の冷媒回路内に設けられ前記冷媒の温度を計測する冷媒温度計測手段と、
前記床暖房装置に設けられ温度を計測する床暖房装置温度計測手段と、
前記車室内温度計測手段、前記冷媒温度計測手段、前記床暖房装置温度計測手段のそれぞれで計測された温度に基づき前記空調装置および前記冷媒供給手段を制御する制御手段とを備え、
前記制御手段は、
前記床暖房装置温度計測手段により計測された温度が車室内の設定温度よりも高い場合には、前記空調装置を制御して、前記空調装置の出力を低減し、
前記冷媒温度計測手段により計測された温度が、前記車室内温度計測手段で計測された温度よりも高い場合には、前記冷媒供給手段を制御して、前記推進装置の冷媒回路から前記床暖房装置の冷媒回路へ前記冷媒を供給すると共に、前記空調装置を制御して、前記空調装置の出力を低減する
ことを特徴とする電動車用暖房装置。
【請求項２】
請求項１に記載された電動車用暖房装置であって、
前記制御手段は、前記車室内の設定温度が前記車室内温度計測手段で計測された温度よりも高い場合には、前記冷媒供給手段を制御して、前記推進装置の冷媒回路から前記床暖房装置の冷媒回路へ前記冷媒を供給する
ことを特徴とする電動車用暖房装置。
【請求項３】
請求項１に記載された電動車用暖房装置であって、
前記制御手段は、前記車室内温度計測手段で計測された温度と任意の所定値の和が前記車室内の設定温度よりも高い場合には、前記空調装置を制御して、前記空調装置の出力を低減する
ことを特徴とする電動車用暖房装置。
【請求項４】
請求項１乃至請求項３の何れか一項に記載された電動車用暖房装置であって、
前記推進装置の冷媒回路は、前記冷媒を熱交換するラジエータを備え、
前記制御装置は、前記床暖房装置温度計測手段で計測した温度が前記車室内の設定温度よりも高い、または前記冷媒温度計測手段で計測した温度が所定値よりも大きい場合に、前記冷媒供給手段を制御して、前記ラジエータへ前記推進装置の冷媒回路の前記冷媒を供給すると共に、前記推進装置の冷媒回路から前記床暖房装置の冷媒回路への前記冷媒の供給量を低減する
ことを特徴とする電動車用暖房装置。
【請求項５】
請求項１乃至請求項４の何れか一項に記載された電動車用暖房装置であって、
前記冷媒供給手段は、前記推進装置の冷媒回路内に設けられた送給ポンプと、前記推進装置の冷媒回路と前記床暖房装置の冷媒回路との連結箇所に設けられたバルブとで構成される
ことを特徴とする電動車用暖房装置。
【請求項６】
請求項１乃至請求項４の何れか一項に記載された電動車用暖房装置であって、
前記冷媒供給手段は、前記推進装置の冷媒回路内における、前記床暖房装置の冷媒回路との連結箇所よりも前記冷媒の流通方向下流側に設けられた第１の送給ポンプと、前記床暖房装置の冷媒回路内に設けられた第２の送給ポンプとで構成される
ことを特徴とする電動車用暖房装置。
【発明の詳細な説明】
【技術分野】
【０００１】
本発明は、電動車用暖房装置に関する。
【背景技術】
【０００２】
電気自動車は、動力源として電気モータ、バッテリ、パワーコントロールユニット（動力制御装置）からなる推進装置を備える。このような電気自動車の暖房装置としては、推進装置の冷却に用いられ、推進装置に発生する熱を吸収して加熱された冷媒（冷却水）をヒータの熱源として利用する装置が知られている。
【０００３】
ところで、燃料電池スタックの発熱によって加熱された冷却液の熱を利用して車室内を暖房する熱交換部を備えることで、車室内の所望の箇所を適宜な温度で暖房できる燃料電池用床暖房装置が考案されている（例えば、特許文献１参照）。
【先行技術文献】
【特許文献】
【０００４】
【特許文献１】特開２００５−２８０６３９号公報（例えば、明細書の段落［００２１］，［００２７］−［００３４］，［００４０］−［００４５］、［図１］，［図２］など参照）
【発明の概要】
【発明が解決しようとする課題】
【０００５】
しかしながら、上述した電気自動車の暖房装置では、推進装置の稼働温度が燃料（ガソリン）で駆動されるエンジンの場合と比べて低く、前記の推進装置の冷媒をそのまま空調装置（暖房装置）の熱源として利用しても十分な暖房能力を得ることができず、暖房能力の向上が望まれていた。また、ヒータを別途に設けて暖房することも可能ではあるが、ヒータ自体の電力使用量が多く、ヒータのみによる暖房を行うと電気自動車においては電力の浪費に繋がる可能性があるという問題がある。
また、動力源として内燃機関と電気モータを備えるハイブリッド車の暖房装置でも、燃費向上のために極力内燃機関を稼動させないように制御した場合は、上述の電気自動車と同様の問題がある。
本願では、電気自動車及びハイブリッド車を総称して、電動車として表記する。
【０００６】
以上のことから、本発明は上述したような問題を解決するために為されたものであって、推進装置の廃熱を利用し、少ない電力で暖房を効率よく行うことができる電動車用暖房装置を提供することを目的としている。
【課題を解決するための手段】
【０００７】
前述した課題を解決する本発明に係る電動車用暖房装置は、推進装置を備える電動車の車室内を暖房する電動車用暖房装置であって、前記電動車の車室内に温度調整した空気を送風する空調装置と、前記推進装置を冷却する冷媒が流通する回路に連結して設けられ、前記電動車の車室の床下に配置される床暖房装置と、前記床暖房装置の冷媒回路へ前記推進装置の冷媒回路内の前記冷媒を供給する冷媒供給手段と、前記電動車の車室内の温度を計測する車室内温度計測手段と、前記推進装置の冷媒回路内に設けられ前記冷媒の温度を計測する冷媒温度計測手段と、前記床暖房装置内に設けられ温度を計測する床暖房装置温度計測手段と、前記車室内温度計測手段、前記冷媒温度計測手段、前記床暖房装置温度計測手段のそれぞれで計測された温度に基づき前記空調装置および前記冷媒供給手段を制御する制御手段とを備え、前記制御手段が、前記床暖房装置温度計測手段により計測された温度が車室内の設定温度よりも高い場合には、前記空調装置を制御して、前記空調装置の出力を低減し、前記冷媒温度計測手段により計測された温度が、前記車室内温度計測手段で計測された温度よりも高い場合には、前記冷媒供給手段を制御して、前記推進装置の冷媒回路から前記床暖房装置の冷媒回路へ前記冷媒を供給すると共に、前記空調装置を制御して、前記空調装置の出力を低減することを特徴とする。
【０００９】
前述した課題を解決する本発明に係る電動車用暖房装置は、上述した電動車用暖房装置であって、前記制御手段が、前記車室内の設定温度が前記車室内温度計測手段で計測された温度よりも高い場合には、前記冷媒供給手段を制御して、前記推進装置の冷媒回路から前記床暖房装置の冷媒回路へ前記冷媒を供給することを特徴とする。
【００１０】
前述した課題を解決する本発明に係る電動車用暖房装置は、上述した電動車用暖房装置であって、前記制御手段が、前記車室内温度計測手段で計測された温度と任意の所定値の和が前記車室内の設定温度よりも高い場合には、前記空調装置を制御して、前記空調装置の出力を低減することを特徴とする。
【００１１】
前述した課題を解決する本発明に係る電動車用暖房装置は、上述した電動車用暖房装置であって、記推進装置の冷媒回路が、前記冷媒を熱交換するラジエータを備え、前記制御装置が、前記床暖房装置温度計測手段で計測した温度が前記車室内の設定温度よりも高い、または前記冷媒温度計測手段で計測した温度が所定値よりも大きい場合に、前記冷媒供給手段を制御して、前記ラジエータへ前記推進装置の冷媒回路の前記冷媒を供給することを特徴とする。
【００１２】
前述した課題を解決する本発明に係る電動車用暖房装置は、上述した電動車用暖房装置であって、前記冷媒供給手段が、前記推進装置の冷媒回路内に設けられた送給ポンプと、前記推進装置の冷媒回路と前記床暖房装置の冷媒回路との連結箇所に設けられたバルブとで構成されることを特徴とする。
【００１３】
前述した課題を解決する本発明に係る電動車用暖房装置は、上述した電動車用暖房装置であって、前記冷媒供給手段が、前記推進装置の冷媒回路内における、前記床暖房装置の冷媒回路との連結箇所よりも前記冷媒の流通方向下流側に設けられた第１の送給ポンプと、前記床暖房装置の冷媒回路内に設けられた第２の送給ポンプとで構成されることを特徴とする。
【発明の効果】
【００１４】
本発明に係る電動車用暖房装置によれば、推進装置の廃熱を利用し、少ない電力で暖房を効率よく行うことができる。
【図面の簡単な説明】
【００１５】
【図１】本発明の第１の実施例に係る電動車用暖房装置の概略構成図である。
【図２】本発明の第１の実施例に係る電動車用暖房装置が備える制御装置のブロック図である。
【図３】本発明に係る電動車用暖房装置による制御フローを説明するための図である。
【図４】本発明の第２の実施例に係る電動車用暖房装置の概略構成図である。
【図５】本発明の第２の実施例に係る電動車用暖房装置が備える制御装置のブロック図である。
【発明を実施するための形態】
【００１６】
以下に、本発明に係る電動車用暖房装置を実施するための形態について、各実施例にて説明する。
【実施例１】
【００１７】
本発明の第１の実施例に係る電動車用暖房装置について、図１〜図３に基づいて具体的に説明する。
【００１８】
本実施例に係る電動車用暖房装置は、図１に示すように、空調装置１０と床暖房装置１と、これらを制御する制御装置２１（図２参照）を備える。空調装置１０は、車室内に温度調整された空気を送風する装置である。空調装置１０は、エアコン１１と、エアコン１１に接続されるヒータ１２と、エアコン１１に接続されるコンプレッサ１３とを備える。
【００１９】
床暖房装置１は、電動車が備える推進装置である電気モータの冷媒回路５に連結して設けられる。推進装置の冷媒回路５には、電気モータ３、インバータ２、ラジエータ４が連結され、回路５内にて冷媒（冷却液）が循環するようになっている。推進装置の冷媒回路５における、モータ３とラジエータ４の間には、第１の送給ポンプＰ１、冷媒の温度を計測する第１の温度センサ（冷媒温度計測手段）Ｓ１が設けられる。床暖房装置の冷媒回路６の入側は、モータ３とラジエータ４の間であって、第１のセンサＳ１の冷媒流通方向下流側にてバルブＶを介して推進装置の冷媒回路５に連結される。床暖房装置の冷媒回路６の出側は、ラジエータ４から電気モータ３へ冷媒が流通する推進装置の冷媒回路５に連結される。前記の第１の送給ポンプＰ１およびバルブＶが冷媒供給手段をなしている。
【００２０】
床暖房装置の冷媒回路６の入側および出側には、当該入側および当該出側を連結する連絡路７が設けられる。連絡路７には、第２の送給ポンプＰ２が設けられる。この第２の送給ポンプＰ２を駆動することにより、床暖房装置の冷媒回路６内の温度を均一にすることができる。
【００２１】
床暖房装置１は、車室の床下内に配置され、冷媒が流通可能な配管である床暖房装置の冷媒回路６を備える。加熱された冷媒が床暖房装置の冷媒回路６内を流通することで、熱交換されて車室内を適宜な温度で暖房することができる。床暖房装置の冷媒回路６には、当該回路６内の冷媒の温度を計測する第２の温度センサ（床暖房装置温度計測手段）Ｓ２が設けられる。
【００２２】
なお、車室内には、車室内の温度を計測する車室内温度計測手段をなす第３の温度センサＳ３（図２参照）が設けられる。
【００２３】
制御装置（ＥＣＵ）２１の入力側には、図２に示すように、第１のセンサＳ１、第２のセンサＳ２、第３のセンサＳ３が接続される。これにより、第１のセンサＳ１で計測された推進装置の冷媒回路５内の冷媒の温度（回路内の冷媒温度）Ｔ１が制御装置２１に入力される。第２のセンサＳ２で計測された床暖房装置の温度Ｔ２が制御装置２１に入力される。第３のセンサＳ３で計測された車室内の計測温度Ｔ３が制御装置２１に入力される。また、制御装置２１には、車室内の設定温度Ｔ４（図示せず）が入力される。制御装置２１の出力側には、第１の送給ポンプＰ１、第２の送給ポンプＰ２、バルブＶ、エアコン出力２２が接続される。制御装置２１は、入力された各種データ（Ｔ１〜Ｔ４）に基づき各種装置（第１の送給ポンプＰ１、第２の送給ポンプＰ２、バルブＶ、エアコン出力２２）を制御している。
【００２４】
ここで、上述の制御装置２１による上述の構成の電動車用暖房装置の各種装置の制御フローについて図３を参照して説明する。図３の上図は、経過時間と各センサにより計測した温度との関係を示した図である。図３の下図は、経過時間と、各回路の冷媒流量および空調装置の風量との関係を示した図である。図３の上図において、Ｔ１は第１のセンサＳ１で計測される回路内の冷媒温度を示し、Ｔ２は第２のセンサＳ２で計測される床暖房装置の温度を示し、Ｔ３は第３のセンサＳ３で計測される車室内の計測温度を示し、Ｔ４は車室内の設定温度を示す。図３の下図において、Ａは空調装置による風量を示し、Ｆｒ１はラジエータ内の冷媒（冷却液）の流量を示し、ｆｒ２は床暖房装置の冷媒回路内の冷媒（冷却液）の流量を示す。ただし、電動車用暖房装置を動作させる前（ｔ０）にあっては、Ｔ４＞Ｔ１〜Ｔ３であり、Ｔ３＞Ｔ１，Ｔ２であると仮定している。また、Ｔ１＝Ｔ２であると仮定している。
【００２５】
まず、電動車が駆動され、車室内の温度が所定の温度（車室内の設定温度）Ｔ４に設定されると、制御装置２１は、空調装置１０および床暖房装置１を制御する。具体的には、制御装置２１は、車室内の設定温度Ｔ４が車室内の計測温度Ｔ３よりも高く、且つ、車室内の計測温度Ｔ３が回路内の冷媒温度Ｔ１よりも高い場合（時間ｔ０の場合）には、空調装置１０を作動させる。すなわち、空調装置１０で暖房運転する。
【００２６】
続いて、車室内の設定温度Ｔ４が車室内の計測温度Ｔ３よりも高く、且つ、回路内の冷媒温度Ｔ１が車室内の計測温度Ｔ３よりも高い場合（時間ｔ１（＞ｔ０）の場合）には、制御装置２１は、バルブＶを調整して、推進装置の冷媒回路５のモータ側と床暖房装置の冷媒回路６とを連絡する一方、第１の送給ポンプＰ１を駆動する。すなわち、空調装置１０を作動させているが、車室内の計測温度Ｔ３が車室内の設定温度Ｔ４に達せず、回路内の冷媒温度Ｔ１が車室内の計測温度Ｔ３よりも高くなると、推進装置の冷媒回路５から床暖房装置の冷媒回路６へ冷媒を送給する。これにより、インバータ２やモータ３などで加熱された冷媒が床暖装置の冷媒回路６内へ流通することになり、前記の空調装置１０に加えて床暖房装置１でも電動車の車室内を暖房することになる。
【００２７】
続いて、車室内の計測温度Ｔ３と任意の所定値の和が車室内の設定温度Ｔ４よりも高く、且つ、床暖房装置の温度Ｔ２が車室内の設定温度Ｔ４よりも高くなった場合（時間ｔ２（＞ｔ１）の場合）には、制御装置２１は、エアコン出力２２を制御して、空調装置１０の出力を低減する。すなわち、空調装置１０の作動と、暖房装置の冷媒回路６への冷媒の送給とを行っているが、車室内の計測温度Ｔ３が車室内の設定温度Ｔ４に達せず、床暖房装置の温度Ｔ２が車室内の設定温度Ｔ４よりも高くなると、空調装置１０の出力を低減する。空調装置１０の出力の低減としては、例えば、エアコン１１による風量の低減などが挙げられる。
【００２８】
続いて、床暖房装置の温度Ｔ２が車室内の設定温度Ｔ４と任意の所定値の和よりも高い、または、回路内の冷媒温度Ｔ１が任意の所定値（例えば、車室内の設定温度Ｔ４など）よりも高い場合（時間ｔ３（＞ｔ２）の場合）には、制御装置２１は、バルブＶ、第１の送給ポンプＰ１、第２の送給ポンプＰ２を制御して、推進装置の冷媒回路５から床暖房装置の冷媒回路６へ流通する冷媒の流量を低減する。これにより、床暖房装置１の暖房出力を低減することになる。また、推進装置の冷媒回路５内の冷媒がモータ３側からラジエータ４へ流通し、冷媒の廃熱が行われることになる。
【００２９】
続いて、車室内の計測温度Ｔ３が上昇し、車室内の設定温度Ｔ４と同じになると（時間ｔ４（＞ｔ３）の場合）、制御装置２１は、空調装置１０を制御して、当該空調装置１０を除湿運転、微風運転、または停止する。
【００３０】
続いて、回路内の冷媒温度Ｔ１が低下し、床暖房装置の温度Ｔ２と同じになると（時間ｔ５（＞ｔ４））、制御装置２１は、バルブＶを制御してラジエータ4への流入を停止する。これにより、推進装置の冷媒回路５にて、冷媒のラジエータ４への循環が停止することになる。
【００３１】
したがって、本実施例に係る電動車用暖房装置によれば、空調装置１０と、推進装置の冷媒回路５に連結して設けられた床暖房装置１と、これらを制御する制御装置２１とを備え、回路内の冷媒温度Ｔ１が車室内の計測温度Ｔ３よりも高い場合には、制御装置２１が第１の送給ポンプＰ１およびバルブＶを制御して推進装置の冷媒回路５内の冷媒を、ラジエータ４には送給せずに、床暖房装置の冷媒回路６へ送給することにより、推進装置におけるインバータ２やモータ３で加熱された冷媒を床暖房装置１に利用して、車室内を暖房することができる。これにより、空調装置１０のみで車室内を暖房する場合と比べて、空調装置１０の負荷が低減し、少ない電力で暖房を効率よく行うことができ、航続距離を延ばすことができる。
【００３２】
また、車室内の設定温度Ｔ４が車室内の計測温度Ｔ３よりも高い場合に、制御装置２１が、第１のポンプＰ１およびバルブＶを制御して推進装置の冷媒回路５内の冷媒を、ラジエータ４には送給せずに、床暖房装置の冷媒回路６へ送給することにより、少ない電力での暖房をより効率的に行うことができる。
【００３３】
また、床暖房装置の温度Ｔ２が車室内の設定温度Ｔ４よりも高くなった場合に、制御装置２１が、エアコン出力を制御して、空調装置１０の出力を低減することにより、電力の利用を効果的に低減することができ、航続距離をより一層延ばすことができる。
【００３４】
また、車室内の計測温度Ｔ３と任意の所定値の和が車室内の設定温度Ｔ４よりも高い場合に、制御装置２１が、エアコン出力を制御して、空調装置１０の出力を低減することにより、少ない電力での暖房をより効率的に行うことができる。
【００３５】
また、第２のセンサＳ２で計測した床暖房装置の温度Ｔ２が車室内の計測温度Ｔ３よりも高い、または第１のセンサＳ１で計測した回路内の冷媒温度Ｔ１が所定値よりも高い場合に、制御装置２１が、バルブＶおよび第１の送給ポンプＰ１を制御して、ラジエータ４へ推進装置の冷媒回路５内の冷媒を供給すると共に、推進装置の冷媒回路５から床暖房装置の冷媒回路６への冷媒の供給量を低減することにより前記冷媒を熱交換して冷却でき、車室内の温度の不要な上昇を避けることができる。
【００３６】
また、上述した冷媒供給手段が、推進装置の冷媒回路５内に設けられた送給ポンプＰ１と、推進装置の冷媒回路５と床暖房装置の冷媒回路６との連結箇所に設けられた流量調整バルブＶとで構成されることにより、簡易な構成にて冷媒の流通方向を調整できる。
【実施例２】
【００３７】
本発明の第２実施例に係る電動車用暖房装置について、図３〜図５を参照して説明する。
本実施例では、上述した第１の実施例に係る電動車用暖房装置が具備する冷媒供給装置の構成を変更したものであって、それ以外は上述した第１の実施例に係る電動車用暖房装置と同じ構成である。本実施例では、上述した第１の実施例に係る電動車用暖房装置と同じ装置には同一の符号を付記する。
【００３８】
本実施例に係る電動車用暖房装置は、図４に示すように、空調装置１０と、床暖房装置１と、これらを制御する制御装置３１（図５参照）を備える。空調装置１０は、エアコン１１、ヒータ１２、コンプレッサ１３を備える。
【００３９】
床暖房装置１は、床暖房装置の冷媒回路６を備える。床暖房装置の冷媒回路６は、推進装置の冷媒回路５に連結される。推進装置の冷媒回路５内における、床暖房装置の冷媒回路６との連結箇所よりも冷媒の流通方向下流側に第１の送給ポンプＰ１１が設けられる。床暖房装置の冷媒回路６内に第２の送給ポンプＰ１２が設けられる。これにより、第１の送給ポンプＰ１１のみを駆動することにより、冷媒（冷却液）が推進装置の冷媒回路５内にて循環することになる。第１の送給ポンプＰ１１を停止し、第２の送給ポンプＰ１２のみを駆動することにより、冷媒は、ラジエータ４には送給されず、インバータ２、モータ３、床暖房装置の冷媒回路６を循環することになる。
【００４０】
制御装置（ＥＣＵ）３１の入側には、上述の制御装置２１と同様、図５に示すように、第１のセンサＳ１、第２のセンサＳ２、第３のセンサＳ３が接続される。これにより、各センサで計測された、回路内の冷媒温度Ｔ１、床暖房装置の温度Ｔ２、車室内の計測温度Ｔ３がそれぞれ入力される。また、制御装置３１には、車室内の設定温度Ｔ４（図示せず）が入力される。制御装置３１の出力側には、第１の送給ポンプＰ１１、第２の送給ポンプＰ１２、エアコン出力２２が接続される。制御装置３１は、入力された各種データ（Ｔ１〜Ｔ４）に基づき各種装置（第１の送給ポンプＰ１１、第２の送給ポンプＰ１２、エアコン出力２２）を制御している。
【００４１】
ここで、上述の制御装置３１による上述の構成の電動車用暖房装置の各種装置の制御フローについて図３を参照して説明する。なお、本実施例においても、上述の第１の実施例と同様、電動車用暖房装置を動作させる前（ｔ０）にあっては、Ｔ４＞Ｔ１〜Ｔ３であり、Ｔ３＞Ｔ１，Ｔ２であると仮定している。また、Ｔ１＝Ｔ２であると仮定している。
【００４２】
まず、電動車が駆動され、車室内の温度が所定の温度（車室内の設定温度）Ｔ４に設定されると、制御装置３１は、空調装置１０および床暖房装置１を制御する。具体的には、制御装置３１は、車室内の設定温度Ｔ４が車室内の計測温度Ｔ３よりも高く、且つ、車室内の計測温度Ｔ３が回路内の冷媒温度Ｔ１よりも高い場合（時間ｔ０の場合）には、空調装置１０を作動させる。すなわち、空調装置１０で暖房運転する。
【００４３】
続いて、車室内の設定温度Ｔ４が車室内の計測温度Ｔ３よりも高く、且つ、回路内の冷媒温度Ｔ１が車室内の計測温度Ｔ３よりも高い場合（時間ｔ１（＞ｔ０）の場合）には、制御装置３１は、第２の送給ポンプＰ１２を駆動する一方、第１の送給ポンプＰ１１を停止する。これにより、インバータ２やモータ３などで加熱された冷媒が床暖房装置の冷媒回路６内へ流通することになり、前記の空調装置１０に加えて床暖房装置１でも電動車の車室内を暖房することになる。
【００４４】
続いて、車室内の計測温度Ｔ３と任意の所定値の和が車室内の設定温度Ｔ４よりも高く、且つ、床暖房装置の温度Ｔ２が車室内の設定温度Ｔ４よりも高くなった場合（時間ｔ２（＞ｔ１）の場合）には、制御装置３１は、エアコン出力２２を制御して、空調装置１０の出力を低減する。すなわち、空調装置１０の作動と、暖房装置の冷媒回路６への冷媒の送給とを行っているが、車室内の計測温度Ｔ３が車室内の設定温度Ｔ４に達せず、床暖房装置の温度Ｔ２が車室内の設定温度Ｔ４よりも高くなると、空調装置１０の出力を低減する。空調装置１０の出力の低減としては、例えば、エアコン１１による風量の低減などが挙げられる。
【００４５】
続いて、床暖房装置の温度Ｔ２が車室内の設定温度Ｔ４と任意の所定値の和よりも高い、または、回路内の冷媒温度Ｔ１が任意の所定値（例えば、車室内の設定温度Ｔ４など）よりも高い場合（時間ｔ３（＞ｔ２）の場合）には、制御装置３１は、第１の送給ポンプＰ１１および第２の送給ポンプＰ１２を制御して、推進装置の冷媒回路５から床暖房装置の冷媒回路６へ流通する冷媒の流量を低減する。これにより、床暖房装置１の暖房出力を低減することになる。また、推進装置の冷媒回路５内の冷媒がモータ３側からラジエータ４へ流通し、冷媒の廃熱が行われることになる。
【００４６】
続いて、車室内の計測温度Ｔ３が上昇し設定温度Ｔ４と同じになると（時間ｔ４（＞ｔ３）の場合）、制御装置３１は、空調装置１０を制御して、当該空調装置１０を除湿運転、微風運転、または停止する。
【００４７】
続いて、回路内の冷媒温度Ｔ１が低下し、床暖房装置の温度Ｔ２と同じになると（時間ｔ５（＞ｔ４））、制御装置３１は、第１のポンプＰ１１を停止する。これにより、推進装置の冷媒回路５にて、冷媒のラジエータ４への循環が停止することになる。
【００４８】
したがって、本実施例に係る電動車用暖房装置によれば、上述した第１の実施例に係る電動車用暖房装置と同様、回路内の冷媒温度Ｔ１が車室内の計測温度Ｔ３よりも高い場合には、制御装置３１が第１の送給ポンプＰ１１および第２の送給ポンプＰ１２を制御して推進装置の冷媒回路５内の冷媒を、ラジエータ４には送給せずに、床暖房装置の冷媒回路６へ送給することにより、推進装置におけるインバータ２やモータ３で加熱された冷媒を床暖房装置１に利用して、車室内を暖房することができる。これにより、空調装置１０のみで車室内を暖房する場合と比べて、空調装置１０の負荷が低減し、少ない電力で暖房を効率よく行うことができ、航続距離を延ばすことができる。
【００４９】
また、車室内の設定温度Ｔ４が車室内の計測温度Ｔ３よりも高い場合に、制御装置３１が、制御装置３１が第１の送給ポンプＰ１１および第２の送給ポンプＰ１２を制御して推進装置の冷媒回路５内の冷媒を、ラジエータ４には送給せずに、床暖房装置の冷媒回路６へ送給することにより、少ない電力での暖房をより効率的に行うことができる。
【００５０】
また、床暖房装置の温度Ｔ２が車室内の設定温度Ｔ４よりも高くなった場合に、制御装置３１が、エアコン出力を制御して、空調装置１０の出力を低減することにより、電力の利用を効果的に低減することができ、航続距離をより一層延ばすことができる。
【００５１】
また、車室内の計測温度Ｔ３と任意の所定値の和が車室内の設定温度Ｔ４よりも高い場合に、制御装置３１が、エアコン出力を制御して、空調装置１０の出力を低減することにより、電力の利用を効果的に低減することができ、航続距離をより一層延ばすことができる。
【００５２】
また、第２のセンサＳ２で計測した床暖房装置の温度Ｔ２が車室内の計測温度Ｔ３よりも高い、または第１のセンサＳ１で計測した回路内の冷媒温度Ｔ１が所定値よりも高い場合に、制御装置３１が、第１の送給ポンプＰ１１および第２の送給ポンプＰ１２を制御して、ラジエータ４へ推進装置の冷媒回路５内の冷媒を供給すると共に、推進装置の冷媒回路５から床暖房装置の冷媒回路６への冷媒の供給量を低減することにより前記冷媒を熱交換して冷却でき、車室内の温度の不要な上昇を避けることができる。
【００５３】
また、上述した冷媒供給手段が、推進装置の冷媒回路５内における、床暖房装置の冷媒回路６との連結箇所よりも冷媒の流通方向下流側に設けられた第１の送給ポンプＰ１１と、床暖房装置の冷媒回路６内に設けられた第２の送給ポンプＰ１２とで構成されることにより、簡易な構成にて冷媒の流通方向を調整できる。
【００５４】
なお、上記では、第２のセンサＳ２が、床暖房装置の冷媒回路６内の冷媒の温度を計測する温度センサである場合について説明したが、第２のセンサＳ２を、床暖房装置内の温度を計測する温度センサとすることも可能である。
【００５５】
また、上述した第１、第２の実施例に係る電動車用暖房装置にて、外気温度を計測する温度センサや車室内の湿度を計測する湿度センサを設けることも可能である。これらセンサを設けることにより、ウインドガラスなどのガラスの結露状況を把握し、空調装置による除湿運転を効率よく行うことができる。
【００５６】
上記では、空調装置１０と、推進装置の冷媒回路５に連結して設けられた床暖房装置１を備えた電動車用暖房装置について説明したが、前記空調装置と前記床暖房装置とを備え、床暖房装置の冷媒回路にヒータを設けた電動車用暖房装置とすることも可能である。
【００５７】
上記では、各条件を各温度に差がある場合とした電動車用暖房装置について説明したが、各条件を各温度の差が任意の所定値より大きい場合とした電動車用暖房装置とすることも可能である。
【産業上の利用可能性】
【００５８】
本発明に係る電動車用暖房装置は、推進装置の廃熱を利用し、少ない電力で暖房を効率よく行うことができるので、自動車産業などにおいて、極めて有益に利用することができる。
【符号の説明】
【００５９】
１            床暖房装置
２            インバータ
３            モータ
４            ラジエータ
５            推進装置の冷媒回路
６            床暖房装置の冷媒回路
７            連絡路
１０          空調装置
１１          エアコン
１２          ヒータ
１３          コンプレッサ
２１          ＥＣＵ（制御装置）
２２          エアコン出力
３１          ＥＣＵ（制御装置）
Ｐ１          第１の送給ポンプ（第１のポンプ）
Ｐ２          第２の送給ポンプ（第２のポンプ）
Ｐ１１        第１の送給ポンプ（第１のポンプ）
Ｐ１２        第２の送給ポンプ（第２のポンプ）
Ｓ１          第１のセンサ
Ｓ２          第２のセンサ
Ｖ            バルブ
【図１】
0005640849.tif 000002
【図２】
0005640849.tif 000003
【図３】
0005640849.tif 000004
【図４】
0005640849.tif 000005
【図５】
0005640849.tif 000006